(57)【要約】【課題】  プログラマブルメモリを具えた変調中周波搬送波電気治療器の提供。【解決手段】  ＣＰＵ、プログラムメモリユニット、データメモリユニット、データ入力ユニット、アラーム出力ユニット、編集表示ユニット、信号変換ユニット、信号出力駆動ユニット、信号出力表示ユニット、信号出力起動ユニット及び信号過電圧保護ユニットで構成され、データメモリユニットが変調波セットの記憶に用いられて異なる疾病部分の深さ、病理原因及び理学療法スケジュールに使用され、且つ随時患者の疾病部分の深さ、病理原因及び必要な治療方式により、病理処方を個別に製作し、個別処方或いは病理治療スケジュールの製作のいずれであっても、異なる病理の所在によりデータを改修し並びにデータメモリユニットに保存し、治療過程中の適用性と正確性を達成する。【選択図】        図１１
2005144176.tif 000002
【特許請求の範囲】
【請求項１】
プログラマブルメモリを具えた変調中周波搬送波電気治療器において、変調波セットを記憶して異なる疾病部位の深さ、病理原因の治療処方及び治療スケジュールの製作に使用され、治療中の適用性と正確性を達成し、この電気治療器は、
電気治療器の演算センターとして用いられ、且つプログラムを記憶するためのプログラムメモリユニットが組み合わされたＣＰＵと、
該ＣＰＵと電気的に接続されて異なる治療スケジュールと変調後の変調波セットデータを保存するデータメモリユニットと、
該ＣＰＵと電気的に接続され、データメモリユニット中の変調波セットデータを選択或いは編集するデータ入力ユニットと、
該ＣＰＵと電気的に接続されて電気治療器状態のアラーム出力を行なうアラーム出力ユニットと、
該ＣＰＵと電気的に接続され、データメモリユニット中の変調波セットデータを表示する編集表示ユニットと、
該ＣＰＵと電気的に接続され、データメモリユニット中の変調波セットデータに対してデジタル／アナログ変換し、変調波セットを発生する信号変換ユニットと、
該信号変換ユニットと電気的に接続され、該信号変換ユニットを駆動する信号出力駆動ユニットと、
該信号変換ユニットと電気的に接続され、該電気治療器信号出力情況を表示する信号出力表示ユニットと、
該ＣＰＵと信号出力駆動ユニットに電気的に接続され、二組の独立した信号出力ポートを具え、該ＣＰＵにより駆動されて信号出力駆動ユニットを通して同期信号出力方式で信号を出力し、二組の独立した非接点式スイッチとされて信号出力の有無を決定する信号出力起動ユニットと、
該ＣＰＵ及び信号出力起動ユニットに電気的に接続され、電力供給不安定時、或いは干渉源がサージを発生する時、出力起動装置を切断して信号出力を停止させ、過電圧現象を防止する信号過電圧保護ユニットと、
を具えたことを特徴とする、プログラマブルメモリを具えた変調中周波搬送波電気治療器。
【請求項２】
請求項１記載のプログラマブルメモリを具えた変調中周波搬送波電気治療器において、プログラムメモリユニットがＣＰＵ内部に設置されて内部プログラムメモリユニットとされたことを特徴とする、プログラマブルメモリを具えた変調中周波搬送波電気治療器。
【請求項３】
請求項１記載のプログラマブルメモリを具えた変調中周波搬送波電気治療器において、プログラムメモリユニットがＣＰＵ外部に設置されてＣＰＵに電気的に接続され外部プログラムメモリユニットとされたことを特徴とする、プログラマブルメモリを具えた変調中周波搬送波電気治療器。
【請求項４】
請求項１記載のプログラマブルメモリを具えた変調中周波搬送波電気治療器において、２ＫＨｚ〜１０ＫＨｚの範囲の中周波方形波を搬送波とし、並びにこの搬送波を変調して発生する変調波を応用することを特徴とする、プログラマブルメモリを具えた変調中周波搬送波電気治療器。
【請求項５】
請求項１記載のプログラマブルメモリを具えた変調中周波搬送波電気治療器において、変調波の範囲が、その低周波部分が２Ｈｚ〜１５０Ｈｚであり、極低周波部分が０．２Ｈｚ〜２Ｈｚ更にはそれより低い極低周波）であることを特徴とする、プログラマブルメモリを具えた変調中周波搬送波電気治療器。
【請求項６】
請求項１記載のプログラマブルメモリを具えた変調中周波搬送波電気治療器において、データ入力ユニットがキーとされたことを特徴とする、プログラマブルメモリを具えた変調中周波搬送波電気治療器。
【請求項７】
請求項１記載のプログラマブルメモリを具えた変調中周波搬送波電気治療器において、アラーム出力ユニットがスピーカとされたことを特徴とする、プログラマブルメモリを具えた変調中周波搬送波電気治療器。
【請求項８】
請求項１記載のプログラマブルメモリを具えた変調中周波搬送波電気治療器において、編集表示ユニットが液晶ディスプレイとされたことを特徴とする、プログラマブルメモリを具えた変調中周波搬送波電気治療器。
【請求項９】
請求項１記載のプログラマブルメモリを具えた変調中周波搬送波電気治療器において、信号出力表示ユニットが発光ダイオード（ＬＥＤ）とされたことを特徴とする、プログラマブルメモリを具えた変調中周波搬送波電気治療器。
【請求項１０】
請求項１記載のプログラマブルメモリを具えた変調中周波搬送波電気治療器において、信号出力起動ユニットが非接点式スイッチとされたことを特徴とする、プログラマブルメモリを具えた変調中周波搬送波電気治療器。
【請求項１１】
請求項１記載のプログラマブルメモリを具えた変調中周波搬送波電気治療器において、データ入力ユニットに一組のクイック機能選択キーが設置されて、クイック機能選択キーにより、入力形態が簡易化されたことを特徴とする、プログラマブルメモリを具えた変調中周波搬送波電気治療器。
【請求項１２】
請求項１記載のプログラマブルメモリを具えた変調中周波搬送波電気治療器において、ＣＰＵに電池制御ユニットが接続されたことを特徴とする、プログラマブルメモリを具えた変調中周波搬送波電気治療器。
【請求項１３】
請求項１記載のプログラマブルメモリを具えた変調中周波搬送波電気治療器において、信号出力起動ユニットが信号出力量制御ユニットに接続され、各信号出力に独立した信号出力量制御ユニットが設置されたことを特徴とする、プログラマブルメモリを具えた変調中周波搬送波電気治療器。
【請求項１４】
請求項１記載のプログラマブルメモリを具えた変調中周波搬送波電気治療器において、ＣＰＵの接続ポート（ＰＯＲＴ１、ＰＯＲＴ２、ＰＯＲＴＮ）が少なくとも一組の信号出力シフト制御ユニットに延伸され、ならびに各信号出力シフト制御ユニットに一組のサブシステムが組み合わされ、該サブシステムは、信号変換ユニット、信号出力駆動ユニット、信号出力表示ユニット、信号出力起動ユニット、信号過電圧保護ユニット、信号出力量制御ユニットを具えたことを特徴とする、プログラマブルメモリを具えた変調中周波搬送波電気治療器。
【請求項１５】
請求項１記載のプログラマブルメモリを具えた変調中周波搬送波電気治療器において、信号出力表示ユニットに一組の動態信号出力過電圧保護ユニットが接続されて、不当な操作を防止するため、患者が自分でキーラッチして調整を制限でき、且つ静態信号出力過電圧保護ユニットと過電圧切り換えの状態を形成できることを特徴とする、プログラマブルメモリを具えた変調中周波搬送波電気治療器。
【発明の詳細な説明】
【技術分野】
【０００１】
本発明はプログラマブルメモリを具えた変調中周波搬送波電気治療器であり、特に患者の疾病部分の深さ、病理原因及び治療に必要な方式に基づき延長を行ないデータ（処方）の製作或いは改修が行なえ、並びにデータメモリユニットに保存し、治療過程中の適用性と正確性を達成し、電気学を医学に変成して電気治療の最良の治療効果を発揮する装置に関する。
【背景技術】
【０００２】
一般に使用されている多くの電気治療器中、その出力するパルス信号は、単一モード或いは固定モードの方式で理学療法に供され、このような周知の理学療法過程は、根本的に治療者が確実に病理の所在及び治療効果の正確性を掌握できない。即ち、患者の疾病部分の深さ、病理原因及び必要な治療はそれぞれ異なるため、適用性も異なるため、単一モード或いは固定モードのパルス信号方式で治療を行なうと、実際の使用上は使用者の必要に符合させることができない。
【０００３】
且つ、現在使用されている電気治療器はいずれも非同期信号方式で治療を行ない、いわゆる非同期信号は二組の不均等な信号出力及び速度で同時に患者の疾病部分に作用する時、一般人の電気学方面の常識から、十分な深さに入ることができず、更に非同期信号方式で治療すると、二組の不均等な信号出力と速度下にあって、往々にして患者の心身上の負担を形成し、恐怖をもたらす。
【０００４】
更に、現在使用されている電気治療器の出力するパルス信号起動装置は接点式スイッチとされ、この接点式スイッチはその動作（オンとオフ）の瞬間に、多少なりともサージを発生させ、このサージが往々にして患者の心身上の不適をもたらす。ゆえに一般に使用されている電気治療器は実際の使用上、使用者の必要に符合しない。
【発明の開示】
【発明が解決しようとする課題】
【０００５】
このため、本発明の主要な目的は、患者の疾病部分の深さ、病理原因及び必要な治療の方式に応じて、中周波搬送波を変調する方式により処方を製作して、電気治療の最良の治療効果を達成できる電気治療器を提供するすることにある。本発明のもう一つの目的は、異なる病理の所在によりデータを改修してデータメモリユニットに保存して治療過程中の適用性及び正確性を達成できる電気治療器を提供することにある。本発明の更なる目的は、直接中周波（中周波方形波）を人体に作用させ、並びに変調後の低周波、極低周波（変調波）を中周波の幅の変化により人体に進入させ、これにより、治療時に、人体の比較的深い層の部分に大きな治療効果を達成できる、電気治療器を提供することにある。本発明のもう一つの目的は、治療者と患者間の相互作用により確実に、電気治療の最良の効果を発揮でき、医療コストを節約できるのみならず、治療時間も大幅に短縮できる電気治療器を提供することにある。
【課題を解決するための手段】
【０００６】
請求項１の発明は、プログラマブルメモリを具えた変調中周波搬送波電気治療器において、変調波セットを記憶して異なる疾病部位の深さ、病理原因の治療処方及び治療スケジュールの製作に使用され、治療中の適用性と正確性を達成し、この電気治療器は、
電気治療器の演算センターとして用いられ、且つプログラムを記憶するためのプログラムメモリユニットが組み合わされたＣＰＵと、
該ＣＰＵと電気的に接続されて異なる治療スケジュールと変調後の変調波セットデータを保存するデータメモリユニットと、
該ＣＰＵと電気的に接続され、データメモリユニット中の変調波セットデータを選択或いは編集するデータ入力ユニットと、
該ＣＰＵと電気的に接続されて電気治療器状態のアラーム出力を行なうアラーム出力ユニットと、
該ＣＰＵと電気的に接続され、データメモリユニット中の変調波セットデータを表示する編集表示ユニットと、
該ＣＰＵと電気的に接続され、データメモリユニット中の変調波セットデータに対してデジタル／アナログ変換し、変調波セットを発生する信号変換ユニットと、
該信号変換ユニットと電気的に接続され、該信号変換ユニットを駆動する信号出力駆動ユニットと、
該信号変換ユニットと電気的に接続され、該電気治療器信号出力情況を表示する信号出力表示ユニットと、
該ＣＰＵと信号出力駆動ユニットに電気的に接続され、二組の独立した信号出力ポートを具え、該ＣＰＵにより駆動されて信号出力駆動ユニットを通して同期信号出力方式で信号を出力し、二組の独立した非接点式スイッチとされて信号出力の有無を決定する信号出力起動ユニットと、
該ＣＰＵ及び信号出力起動ユニットに電気的に接続され、電力供給不安定時、或いは干渉源がサージを発生する時、出力起動装置を切断して信号出力を停止させ、過電圧現象を防止する信号過電圧保護ユニットと、
を具えたことを特徴とする、プログラマブルメモリを具えた変調中周波搬送波電気治療器としている。
請求項２の発明は、請求項１記載のプログラマブルメモリを具えた変調中周波搬送波電気治療器において、プログラムメモリユニットがＣＰＵ内部に設置されて内部プログラムメモリユニットとされたことを特徴とする、プログラマブルメモリを具えた変調中周波搬送波電気治療器としている。
請求項３の発明は、請求項１記載のプログラマブルメモリを具えた変調中周波搬送波電気治療器において、プログラムメモリユニットがＣＰＵ外部に設置されてＣＰＵに電気的に接続され外部プログラムメモリユニットとされたことを特徴とする、プログラマブルメモリを具えた変調中周波搬送波電気治療器としている。
請求項４の発明は、請求項１記載のプログラマブルメモリを具えた変調中周波搬送波電気治療器において、２ＫＨｚ〜１０ＫＨｚの範囲の中周波方形波を搬送波とし、並びにこの搬送波を変調して発生する変調波を応用することを特徴とする、プログラマブルメモリを具えた変調中周波搬送波電気治療器としている。
請求項５の発明は、請求項１記載のプログラマブルメモリを具えた変調中周波搬送波電気治療器において、変調波の範囲が、その低周波部分が２Ｈｚ〜１５０Ｈｚであり、極低周波部分が０．２Ｈｚ〜２Ｈｚ更にはそれより低い極低周波）であることを特徴とする、プログラマブルメモリを具えた変調中周波搬送波電気治療器としている。
請求項６の発明は、請求項１記載のプログラマブルメモリを具えた変調中周波搬送波電気治療器において、データ入力ユニットがキーとされたことを特徴とする、プログラマブルメモリを具えた変調中周波搬送波電気治療器としている。
請求項７の発明は、請求項１記載のプログラマブルメモリを具えた変調中周波搬送波電気治療器において、アラーム出力ユニットがスピーカとされたことを特徴とする、プログラマブルメモリを具えた変調中周波搬送波電気治療器としている。
請求項８の発明は、請求項１記載のプログラマブルメモリを具えた変調中周波搬送波電気治療器において、編集表示ユニットが液晶ディスプレイとされたことを特徴とする、プログラマブルメモリを具えた変調中周波搬送波電気治療器としている。
請求項９の発明は、請求項１記載のプログラマブルメモリを具えた変調中周波搬送波電気治療器において、信号出力表示ユニットが発光ダイオード（ＬＥＤ）とされたことを特徴とする、プログラマブルメモリを具えた変調中周波搬送波電気治療器としている。
請求項１０の発明は、請求項１記載のプログラマブルメモリを具えた変調中周波搬送波電気治療器において、信号出力起動ユニットが非接点式スイッチとされたことを特徴とする、プログラマブルメモリを具えた変調中周波搬送波電気治療器としている。
請求項１１の発明は、請求項１記載のプログラマブルメモリを具えた変調中周波搬送波電気治療器において、データ入力ユニットに一組のクイック機能選択キーが設置されて、クイック機能選択キーにより、入力形態が簡易化されたことを特徴とする、プログラマブルメモリを具えた変調中周波搬送波電気治療器としている。
請求項１２の発明は、請求項１記載のプログラマブルメモリを具えた変調中周波搬送波電気治療器において、ＣＰＵに電池制御ユニットが接続されたことを特徴とする、プログラマブルメモリを具えた変調中周波搬送波電気治療器としている。
請求項１３の発明は、請求項１記載のプログラマブルメモリを具えた変調中周波搬送波電気治療器において、信号出力起動ユニットが信号出力量制御ユニットに接続され、各信号出力に独立した信号出力量制御ユニットが設置されたことを特徴とする、プログラマブルメモリを具えた変調中周波搬送波電気治療器としている。
請求項１４の発明は、請求項１記載のプログラマブルメモリを具えた変調中周波搬送波電気治療器において、ＣＰＵの接続ポート（ＰＯＲＴ１、ＰＯＲＴ２、ＰＯＲＴＮ）が少なくとも一組の信号出力シフト制御ユニットに延伸され、ならびに各信号出力シフト制御ユニットに一組のサブシステムが組み合わされ、該サブシステムは、信号変換ユニット、信号出力駆動ユニット、信号出力表示ユニット、信号出力起動ユニット、信号過電圧保護ユニット、信号出力量制御ユニットを具えたことを特徴とする、プログラマブルメモリを具えた変調中周波搬送波電気治療器としている。
請求項１５の発明は、請求項１記載のプログラマブルメモリを具えた変調中周波搬送波電気治療器において、信号出力表示ユニットに一組の動態信号出力過電圧保護ユニットが接続されて、不当な操作を防止するため、患者が自分でキーラッチして調整を制限でき、且つ静態信号出力過電圧保護ユニットと過電圧切り換えの状態を形成できることを特徴とする、プログラマブルメモリを具えた変調中周波搬送波電気治療器としている。
【発明の効果】
【０００７】
本発明のプログラマブルメモリを具えた変調中周波搬送波電気治療器は、データメモリユニットで変調波を記憶して、異なる疾病部位の深さ、病理原因及び治療スケジュールの使用に供し、且つ随時、患者の疾病部分の深さ、病理原因及び必要な治療の方式により、病理処方を個別に製作でき、且つ個別処方或いは治療スケジュールの製作のいずれであっても、いずれも異なる病理の所在により、データを改修し並びにデータメモリユニットに保存して、治療過程中の適用性と正確性を達成し、電気学を医学に変成し、電気治療の最良の効果を発揮する。
【発明を実施するための最良の形態】
【０００８】
本発明は一種のプログラマブルメモリを具えた変調中周波搬送波電気治療器を提供する、図１に示されるように、それは、電気治療器の演算センターとして用いられるＣＰＵ、ＣＰＵと電気的に接続されて、プログラム（ソフト）を保存し、ＣＰＵ内部に設置されて内部プログラムメモリユニットとされるか、或いはＣＰＵの外部にあってＣＰＵに電気的に接続されて外部プログラムメモリユニットとされうるプログラムメモリユニットと、ＣＰＵと電気的に接続されて異なる治療スケジュールと変調後の変調波セットデータを保存するデータメモリユニットと、ＣＰＵと電気的に接続され、データメモリユニット中の変調波セットデータを選択或いは編集するデータ入力ユニットと、ＣＰＵと電気的に接続されて電気治療器状態を出力するアラーム出力ユニット、ＣＰＵと電気的に接続され、データメモリユニット中の変調波セットデータを表示する編集表示ユニットと、ＣＰＵと電気的に接続され、データメモリユニット中の変調波セットデータに対してデジタル／アナログ変換し、変調波セットを発生する信号変換ユニットと、信号変換ユニットと電気的に接続され、該信号変換ユニットを駆動する信号出力駆動ユニット（同期信号出力方式で実行）と、信号変換ユニットと電気的に接続され、該電気治療器信号出力情況を表示する信号出力表示ユニットと、ＣＰＵと信号出力駆動ユニットに電気的に接続され、二組の独立した信号出力ポートを具え信号出力の有無を決定する信号出力起動ユニットと、ＣＰＵ及び信号出力起動ユニットに電気的に接続され、電力供給不安定時、或いは干渉源がサージを発生する時、出力起動装置を切断して信号出力を停止させ、過電圧現象を防止する信号過電圧保護ユニットと、を具えている。これにより、データメモリユニットで変調波を記憶でき、異なる疾病部位の深さ、病理原因及び治療スケジュールの使用に供され、且つ、随時、患者の疾病部分の深さ、病理原因及び必要な治療の方式により、病理処方を個別に製作し、且つ個別処方或いは治療スケジュールの製作のいずれであっても、いずれも異なる病理の所在により、データを改修し並びにデータメモリユニットに保存して、治療過程中の適用性と正確性を達成し、電気学を医学に変成し、電気治療の最良の効果を発揮する。
【実施例１】
【０００９】
図１から図１０は本発明の構造表示図、本発明の変調波セットの多項式関数図形表示図、本発明の間欠変調中周波搬送波表示図、本発明の断続変調中周波搬送波表示図、本発明の変調波セットの多項式関数図形表示図、本発明の間欠変調中周波搬送波表示図、本発明の断続変調中周波搬送波表示図、本発明の変調波セットの多項式関数図形表示図、本発明の間欠変調中周波搬送波表示図、本発明の断続変調中周波搬送波表示図である。
【００１０】
本発明は一種のプログラマブルメモリを具えた変調中周波搬送波電気治療器１であり、中周波変調波変調の方式で、変調により変調波を発生し、この変調波を理学療法、ツボ、保健、豊胸、筋肉の鍛練及び按摩に応用できる。本発明のプログラマブルメモリを具えた変調中周波搬送波電気治療器１は、ＣＰＵ１０、プログラムメモリユニット１０１、データメモリユニット１１、データ入力ユニット１２、アラーム出力ユニット１３、編集表示ユニット１４、信号変換ユニット１５、信号出力駆動ユニット１６、信号出力表示ユニット１７、信号出力起動ユニット１８及び信号過電圧保護ユニット１９で構成されている。データメモリユニット１１で変調波セットを記憶し、異なる疾病部位の深さ、病理原因及び治療スケジュールの使用に供し、且つ随時患者の疾病部分の深さ、病理原因及び必要な治療方式に対して病理処方を個別に製作でき、且つ個別処方或いは治療スケジュールの製作のいずれであっても、異なる病理の所在によりデータを改修し並びにデータメモリユニット１１に保存し、治療過程中の適用性と正確性を達成し、並びに直接中周波（中周波方形波）を人体に作用させ、並びに変調後の低周波、極低周波（変調波）は中周波の幅変化により人体に進入するので、治療時に人体の深層部分に比較的大きな電気治療効果を達成できる。
【００１１】
ＣＰＵ１０は、各ユニットの演算センターとされ、且つ該ＣＰＵ１０はプログラムメモリユニット１０１を搭載し、該プログラムメモリユニット１０１はプログラム（ソフト）を保存し、ＣＰＵ１０内部に設置されて内部プログラムメモリユニットとされるか、或いはＣＰＵ１０の外部にあってＣＰＵ１０に電気的に接続されて外部プログラムメモリユニットとされうる。
【００１２】
データメモリユニット１１は、ＣＰＵ１０と電気的に接続されて異なる治療スケジュールと変調後の低周波、極低周波（変調波）の変調波セットデータを保存する。本発明はデジタル化プログラマブルメモリの方式で設計され、病理処方を個別に製作し、製作後に更に個別処方により治療スケジュールが製作され、この過程は病理処方或いは治療スケジュールのいずれであっても、いずれも異なる病理の所在により、データを改修し並びに該データメモリユニット１１に保存し、治療過程中の適用性と正確性を達成する。この方式で処方を製作し、更に治療スケジュールを製作し、その原理は、中周波方形波（範囲：２ＫＨｚ〜１０ＫＨｚ）を搬送波とし、並びにこの搬送波を変調して発生する変調波（範囲：その低周波部分：２Ｈｚ〜１５０Ｈｚ、極低周波部分：０．２Ｈｚ〜２Ｈｚ、更に低い極低周波）を応用する。
【００１３】
データ入力ユニット１２は、上述のＣＰＵ１０と電気的に接続され、データメモリユニット１１中の変調波セットデータを選択或いは編集するのに用いられ、該データ入力ユニット１２はキーとされうる。
【００１４】
アラーム出力ユニット１３は、上述のＣＰＵ１０と電気的に接続され、該アラーム出力ユニット１３はスピーカとされ得て、電気治療器１状態のアラームを出力し、（例えばデータ入力ユニット１２が作動中であることを示す音声及び電気治療器１の治療過程中に有する情況を示す音声）、並びに異なる音声出力方式で異なる情況を表示する。
【００１５】
編集表示ユニット１４は、上述のＣＰＵ１０と電気的に接続され、該編集表示ユニット１４は液晶ディスプレイとされ得て、データメモリユニット１１中の変調波セットデータを表示する。
【００１６】
信号変換ユニット１５は、上述のＣＰＵ１０に電気的に接続され、データメモリユニット１１中の変調波セットデータに対してデジタル／アナログ変換し、これにより変調波セットを発生する。
【００１７】
信号出力駆動ユニット１６は、上述の信号変換ユニット１５に電気的に接続され、該信号変換ユニット１５の動作を駆動する。
【００１８】
該信号出力表示ユニット１７は、上述の信号変換ユニット１５に電気的に接続され、該信号変換ユニット１５は発光ダイオード（ＬＥＤ）とされ得て、該電気治療器１の信号出力情況を表示する。
【００１９】
信号出力駆動ユニット１６は、上述のＣＰＵ１０及び信号出力駆動ユニット１６に電気的に接続され、該信号出力起動ユニット１８はＣＰＵ１０により信号出力駆動ユニット１６を介して駆動され、二組の独立した信号出力ポートを具え、同期信号出力方式で、均等信号出力及び同期速度下で治療を行い、大幅に患者の心身上の負担を軽減し恐怖を免除する。即ち該信号出力起動ユニット１８は二組の独立非接点式スイッチとされ、その主要な用途は信号出力を許可するあるいは許可しないことにあり、即ち、患者が治療を受ける時、電源不安定或いは干渉源がサージを発生して過電圧現象を発生する時、患者の心身に及ぼす不適を解消するために設計された保護ユニットである。
【００２０】
信号過電圧保護ユニット１９は、上述のＣＰＵ１０及び信号出力起動ユニット１８にそれぞれ電気的に接続され、電力供給が不安定の時、或いは干渉源にサージが発生する時、信号出力起動ユニット１８を切断し、信号出力を停止させ、過電圧現象を防止し、この信号過電圧保護ユニット１９は上述の信号出力起動ユニット１８の二組の独立した信号出力の過電圧保護装置であり、電源不安定或いはサージ発生によりもたらされる過電圧現象を検出して信号出力起動ユニット１８を切断して信号出力を停止させ、患者の心身上の傷害を防止する。こうして、新規なプログラマブルメモリを具えた変調中周波搬送波電気治療器が完成する。
【００２１】
本発明の任意の変調波セットの製作過程によると、まず、任意の数学多項方程式を通して、その関数値で任意の関数グラフを形成した後（この任意の数学多項方程式の必要条件は、一つの前進式時間域に発生する関数グラフであればよい。）更にこの関数グラフ（図２、図５、図８の如し）を中周波搬送波変調して低周波、極低周波（図３、４が図２に対応、図６、７が図５に対応、図９、１０が図８に対応）を製作し、さらには更に低い極低周波を製作できる。
【００２２】
本発明の変調波セットの製作過程を、変調波セットの図３、４、６、７、１０を実施例として説明する。それによると、任意の数学多項方程式より任意の関数グラフ（図２、５、８）を発生した後（異なる数学多項方程式或いは方程式のパラメータの改変は異なる関数グラフを発生し、ゆえに変化のあるグラフを発生しうる。）、この関数グラフ（図２、５、８）を中周波搬送波変調することで、相互に対称な低周波（正の半周及び負の半周のパラメータ付与）を製作し、関数グラフ（図２、５及び図８）の幅（Ｍ）の変化により極低周波のグラフを完成し、変調波セット（図３、４、６、７、９、１０）の任意の変調波セットが人体に作用する時、いずれもその電波生理作用を有する。
【実施例２】
【００２３】
また、本発明の図１の構造を発展させて図１１の実施例を構成することができる。この実施例は以下の特徴を有している。
１．データ入力ユニットに一組のクイック機能選択キー１２Ａを設置可能で、クイック機能選択キー１２Ａの利用により、入力形態を簡易化できる。
２．電池制御ユニット２が設置されて商用電源が不安定の時の予備電源を供給する。これにより本発明の電源供給が更に安定し、また停電時に、電池に蓄積された電力により直流電源が提供される。また、該電池制御ユニット２は充放電の制御機能と、電力残存量のアラーム装置も有するものとされ得る。
３．信号出力量制御ユニット３（ダイアル状のハードウエア装置とされうる）が設置されている。本発明は信号出力に対して総量制御を有するとはいえ、患者の疾病部位の深さ、病理原因及び治療に必要な方式の違いに対して、各信号出力に対して独立した信号出力量制御ユニット３（ダイアル状のハードウエア装置とされうる）が設けられる。これにより、量の微調整が行え、各患部の許容度（量）により調整できる。これにより、信号出力量制御ユニットは患者の各部位の許容度（量）に対して個別制御を行い、患者が治療を受け入れやすくする。微調整完成後に、更に総量制御により全体的調節を行う。
４．ＣＰＵ１０の接続ポート（ＰＯＲＴ１、ＰＯＲＴ２、ＰＯＲＴＮ）は少なくとも一組の信号出力シフト制御ユニット４に延伸され、ならびに各信号出力シフト制御ユニット４に一組のサブシステムＡ１、即ち、
信号変換ユニット１５、
信号出力駆動ユニット１６、
信号出力表示ユニット１７、
信号出力起動ユニット１８、
信号過電圧保護ユニット１９、
信号出力量制御ユニット３、
が組み合わされている。
本発明のＣＰＵ１０は別に複数の接続ポートで、複数組の接続を達成可能で、それぞれ時間差を利用し、患者の治療を受ける部位に対して間欠性の治療効果を形成でき（患者は波状の時間差下でのピーク効果を感じることができる）、且つ一つのＣＰＵ１０の時間上の制御と調整を利用し、効果を達成できる。
５．患者の耐えられる状態に応じて、一組の動態信号出力過電圧保護ユニットを設定でき、並びに静態信号出力過電圧保護ユニットと切り換え可能な状態を形成できる。こうして患者に治療を施す時、患者の忍耐度に応じて、総量初期値に対して設定を行える。動態信号出力過電圧保護方面では、信号出力後の即時ラッチ設定であり、言い換えると、信号出力の出力量を任意調整の後にこの一つの定点に即時ラッチ設定し、異常現象或いは人為操作がこの定点値を超えないようにし、超えた場合には即刻信号出力起動ユニットを切断し信号出力を停止させる。当然、患者は動態信号出力過電圧保護を作動させずに、単純に予め設定した静態方式で信号出力過電圧保護を行なうこともできる。ゆえに、動態信号出力過電圧保護ユニットは、ラッチと電圧過大時の保護措置効果を共に有する。上述の製作過程はいずれも液晶ディスプレイ（ＬＣＤ）の編集表示ユニットを通してその製作の目的を達成し、各製作が完成後の変調波セットはいずれも単一処方と見なされ（変調波セット：図３、４、６、７、９及び図１０に示される如し）、この単一処方は編集過程で同時に実際の試験を実行でき、或いは実際の試験中で上述の任意のパラメータの値（図２、５、８、図３、４、図６、７、図９、１０）内の任意のパラメータ値を改変できる。その関数グラフ或いは変調波セットの周波数及び幅もそれに伴い変化し、任意の一組の変調波（処方）が人体に作用する時、いずれもその電波生理作用を有し、パラメータの変化を調整して、実際の人体病理への適用時の作用試験時に、この単一処方をデータメモリユニット内に保存し、後の治療スケジュール製作の使用に供する。本発明の治療スケジュール製作時には、上述のデータメモリユニット１１内に保存された任意の変調波セット（図３、４、６、７、９、１０）を、データメモリユニット１１内より呼び出して一つずつ編集連結して治療スケジュールとなした後（前後順序は同一でない）、更にこの治療スケジュールをデータメモリユニット１１内に保存し、後の治療スケジュールに使用する。同様に、治療スケジュール製作時には、その過程は上述の単一処方の製作方式と同様であり、実際の人体病理への適用時の作用試験時に、この治療スケジュールをデータメモリユニット１１内に保存し、後の治療スケジュールに使用する。こうして、完全に多様化された治療スケジュールを完成できる。変調中周波搬送波の電気治療法の治療上の作用は以下のとおりである。
１．中周波：一種の浸透力である。周波数が高くなるほど浸透力は深くなる。変調されていない中周波は単純な中周波であり、その浸透力は明らかでない。
２．低周波：一種の作用力である。周波数が低くなるほど作用力は強くなる。変調されていない低周波、極低周波（変調波）は、単純な低周波、極低周波（変調波）であり、その作用力は強過ぎ、患者の身体上の不適を形成しやすく、且つ電気分解作用を有し、皮膚を損傷させやすい。
【００２４】
総合すると、両者のいずれが欠けてもよくなく、浸透力のみあっても作用力がなく、その浸透力が不足すると、神経筋肉組織の興奮を引き起こしにくい。反対に、作用力だけあって浸透力がないと、その作用力は皮膚表層のみに作用し、患者の身体上の不適を形成しやすく、且つ電気分解作用を有し、皮膚を損傷させやすい。
【００２５】
ゆえに、両者を結合させた後、直接人体に作用するのは中周波で、そのうち変調後の低周波、極低周波（変調波）は中周波の幅の変化により人体に進入する。これにより、治療時に、人体の比較的深い層部分に対して比較的大きな治療効果を達成できる。
【００２６】
以上は本発明の実施例の説明であって本発明の範囲を限定するものではなく、本発明に基づきなしうる細部の修飾或いは改変は、いずれも本発明の請求範囲に属するものとする。
【図面の簡単な説明】
【００２７】
【図１】本発明の構造表示図である。
【図２】本発明の変調波セットの多項式関数図形表示図である。
【図３】本発明の間欠変調中周波搬送波表示図である。
【図４】本発明の断続変調中周波搬送波表示図である。
【図５】本発明の変調波セットの多項式関数図形表示図である。
【図６】本発明の間欠変調中周波搬送波表示図である。
【図７】本発明の断続変調中周波搬送波表示図である。
【図８】本発明の変調波セットの多項式関数図形表示図である。
【図９】本発明の間欠変調中周波搬送波表示図である。
【図１０】本発明の断続変調中周波搬送波表示図である。
【図１１】本発明の別の実施例の構造表示図である。
【符号の説明】
【００２８】
１  電気治療器
１０  ＣＰＵ
１０１  プログラムメモリユニット
１１  データメモリユニット
１２  データ入力ユニット
１２Ａ  クイック機能選択キー
１３  アラーム出力ユニット
１４  編集表示ユニット
１５  信号変換ユニット
１６  信号出力駆動ユニット
１７  信号出力表示ユニット
１８  信号出力起動ユニット
１９  信号過電圧保護ユニット
２  電池制御ユニット
３  信号出力量制御ユニット
４  信号出力シフト制御ユニット
Ａ１  サブシステム
【図１】
2005144176.tif 000003
【図２】
2005144176.tif 000004
【図３】
2005144176.tif 000005
【図４】
2005144176.tif 000006
【図５】
2005144176.tif 000007
【図６】
2005144176.tif 000008
【図７】
2005144176.tif 000009
【図８】
2005144176.tif 000010
【図９】
2005144176.tif 000011
【図１０】
2005144176.tif 000012
【図１１】
2005144176.tif 000013